(57)【特許請求の範囲】
【請求項１】
壁面を照射する照明装置であって、
長尺のケーシング部材と、
前記ケーシング部材の内部に配置される発光部材と、
前記ケーシング部材の上面に前記ケーシング部材の長手方向に沿って形成され、前記発光部材からの光を透過する窓部と、を備え、
前記発光部材は、前記窓部における前記ケーシング部材の長手方向に直交する方向の中央よりも前記壁面とは反対側に寄った位置に配置されており、垂直方向の上方側から視た場合に、前記発光部材の少なくとも一部が前記ケーシング部材の不透光の部分に重なっている照明装置。
【請求項２】
前記ケーシング部材の上面は、前記壁面側に下がる傾斜面である請求項１に記載の照明装置。
【請求項３】
前記ケーシング部材は、前記窓部の外郭を構成する前記ケーシング部材の開口縁部において厚み部分の側面である開口側面を有し、
前記ケーシング部材における前記壁面側の前記開口側面は、前記壁面側に下がる傾斜面である請求項１又は２に記載の照明装置。
【発明の詳細な説明】
【技術分野】
【０００１】
本発明は、窓部を有するケーシング部材と、ケーシング部材の内部に配置される発光部材と、を備える照明装置に関する。
【背景技術】
【０００２】
従来、窓部を有する長尺のケーシング部材と、ケーシング部材の内部に配置される複数の発光部材としてのＬＥＤ（Ｌｉｇｈｔ  Ｅｍｉｔｔｉｎｇ  Ｄｉｏｄｅ）と、を備える照明装置が知られている（例えば、特許文献１参照）。特許文献１に記載の照明装置は、窓部を大きく形成し、ＬＥＤからの光を窓部を介して外部に照射する。
【先行技術文献】
【特許文献】
【０００３】
【特許文献１】特開２００１−２１０１０６号公報
【発明の概要】
【発明が解決しようとする課題】
【０００４】
ところで、壁面を下方から照射する照明装置が知られている。壁面を下方から照射する照明装置においては、例えば、特許文献１に記載の照明装置を利用した場合に、照明装置から照射される光は、壁面側だけでなく、照明装置の脇を通行する歩行者側に、照射される。そのため、ＬＥＤ（発光部材）からの光の照射により、ＬＥＤからの光が直接見えやすく、人に眩しさを感じさせる虞がある。
【０００５】
本発明は、壁面を下方から照射する照明装置において、発光部材からの光について、人に眩しさを感じさせることが抑制される照明装置を提供することを目的とする。
【課題を解決するための手段】
【０００６】
本発明は、壁面を照射する照明装置であって、長尺のケーシング部材と、前記ケーシング部材の内部に配置される発光部材と、前記ケーシング部材の上面に前記ケーシング部材の長手方向に沿って形成され、前記発光部材からの光を透過する窓部と、を備え、前記発光部材は、前記窓部における前記ケーシング部材の長手方向に直交する方向の中央よりも前記壁面とは反対側に寄った位置に配置されており、垂直方向の上方側から視た場合に、前記発光部材の少なくとも一部が前記ケーシング部材の不透光の部分に重なっている照明装置に関する。
【０００７】
また、前記ケーシング部材の上面は、前記壁面側に下がる傾斜面であることが好ましい。
【０００８】
また、前記ケーシング部材は、前記窓部の外郭を構成する前記ケーシング部材の開口縁部において厚み部分の側面である開口側面を有し、前記ケーシング部材における前記壁面側の前記開口側面は、前記壁面側に下がる傾斜面であることが好ましい。
【発明の効果】
【０００９】
本発明によれば、壁面を下方から照射する照明装置において、発光部材からの光について、人に眩しさを感じさせることが抑制される照明装置を提供することができる。
【図面の簡単な説明】
【００１０】
【図１】本発明の一実施形態に係る照明装置１が壁面１００を照射する様子を示す図である。
【図２】本発明の一実施形態に係る照明装置１の照明ユニット２及びサイドカバー部材１１の構成を示す図である。
【図３】本発明の一実施形態に係る照明装置１の照明ユニット２の構成を示す断面図である。
【図４】本発明の一実施形態に係る照明装置１の各構成を示す分解斜視図である。
【発明を実施するための形態】
【００１１】
以下、本発明の照明装置１の好ましい一実施形態について、図面を参照しながら説明する。図１は、本発明の一実施形態に係る照明装置１が壁面１００を照射する様子を示す図である。図２は、本発明の一実施形態に係る照明装置１の照明ユニット２及びサイドカバー部材１１の構成を示す図である。図３は、本発明の一実施形態に係る照明装置１の照明ユニット２の構成を示す断面図である。図４は、本発明の一実施形態に係る照明装置１の各構成を示す分解斜視図である。
【００１２】
図１に示すように、本実施形態の照明装置１は、壁面１００の下方に配置され、壁面１００を下方から照射する。壁面１００は、例えば、塀や門袖の壁の壁面や、住宅の外壁の壁面などである。
【００１３】
照明装置１は、壁面１００の下方において、壁面１００から所定距離離間して配置される。照明装置１は、長手方向Ｙに延びるように長尺状に形成される。本実施形態において、照明装置１が延びる長手方向Ｙは、壁面１００に沿う方向で且つ水平な方向である。なお、本実施形態においては、照明装置１の説明において、照明装置１が延びる長手方向Ｙに直交し且つ水平な方向を「幅方向Ｘ」ともいう。垂直方向Ｚは、長手方向Ｙ及び幅方向Ｘと直交する。
【００１４】
照明装置１は、図１及び図２に示すように、照明ユニット２と、一対のサイドカバー部材１１，１１と、電源コード１２と、一対の脚部材１３，１３（図１参照）と、を備える。
【００１５】
照明ユニット２には、図１及び図２に示すように、長手方向Ｙの両端部において、一対のサイドカバー部材１１，１１が取り付けられる。照明ユニット２は、照明ユニット２の両端部に一対のサイドカバー部材１１，１１が取り付けられた状態で、一対の脚部材１３，１３により地面に設置される。
【００１６】
一対のサイドカバー部材１１，１１は、図２に示すように、側部カバー板部１１１と、取付支持板部１１２と、を有する。
【００１７】
側部カバー板部１１１は、板状に形成され、照明ユニット２の長手方向Ｙの両端部において、長手方向Ｙに直交する面に平行に配置されている。
側部カバー板部１１１は、脚部材取付孔１１３と、角度確認孔１１４と、角度確認目盛１１５と、を有する。脚部材取付孔１１３及び角度確認孔１１４は、側部カバー板部１１１を長手方向Ｙに貫通する。角度確認目盛１１５は、側部カバー板部１１１の外面に形成されている。
【００１８】
取付支持板部１１２は、側部カバー板部１１１の内側の面に接続される。取付支持板部１１２は、長手方向Ｙに視た場合に略Ｌ字形状に形成される。取付支持板部１１２は、照明ユニット２の長手方向Ｙの両端部において、照明ユニット２の下面を支持する。
【００１９】
照明ユニット２を設置する際には、照明ユニット２が取付支持板部１１２に支持された状態で、脚部材取付孔１１３に挿通されたボルト１１１ｂにより、脚部材１３に側部カバー板部１１１を取り付ける（図１参照）。また、脚部材１３から側方に突出する突起１１１ａ（図１参照）を、側部カバー板部１１１の角度確認孔１１４に挿入する。そして、ボルト１１１ｂの回転軸を中心に照明ユニット２を回動させながら、突起１１１ａと角度確認目盛１１５との位置関係によって、照明ユニット２の取り付け角度を調整することができる。なお、通常、照明ユニット２を設置する際において取り付け角度を調整して照明ユニット２を設置した後には、照明ユニット２は、脚部材１３への取り付け角度を変更せずに使用される。
【００２０】
照明ユニット２は、図３及び図４に示すように、ケーシング部材３と、光源部５と、光源部５を支持する支持部材６と、透光部材７と、シール部材８１と、一対のスペーサ部材８２，８２と、複数の押上部材としての押上ネジ部材８３と、を備える。光源部５、支持部材６、透光部材７、シール部材８１及び一対のスペーサ部材８２，８２は、ケーシング部材３の内部に配置される。
【００２１】
ケーシング部材３は、長尺状に形成され、壁面１００に沿って長手方向Ｙに延びる。ケーシング部材３は、図３に示すように、長手方向Ｙに直交する断面において、上方側が開口された枠体により形成される。ケーシング部材３は、アルミ等の不透光部材からなる。
【００２２】
ケーシング部材３は、上面板３１と、底面板３４と、第１側面板３５と、第２側面板３６と、を有する。上面板３１、底面板３４、第１側面板３５及び第２側面板３６は、ケーシング部材３の長手方向Ｙに延びる。
【００２３】
底面板３４は、板状に形成され、ケーシング部材３の下方に配置される。底面板３４は、水平方向（幅方向Ｘ）に延びる。底面板３４の幅方向Ｘの両端部は、第１側面板３５の下端部及び第２側面板３６の下端部に接続される。
【００２４】
第１側面板３５は、板状に形成され、ケーシング部材３における壁面１００側の側部に配置される。第１側面板３５は、底面板３４における壁面１００側の端部から、垂直方向Ｚの上方に延びる。
【００２５】
第２側面板３６は、板状に形成され、ケーシング部材３における壁面１００とは反対側の側部に配置される。第２側面板３６は、第１側面板３５よりも長い長さで、底面板３４における壁面１００とは反対側の端部から、垂直方向Ｚの上方に延びる。
【００２６】
上面板３１は、板状に形成され、ケーシング部材３の上方に配置される。上面板３１は、底面板３４を水平方向に沿うように位置させると共に第１側面板３５を壁面１００側に位置させた状態において、第２側面板３６から第１側面板３５に向かうにしたがって上方から下方に向かうように傾斜する。つまり、上面板３１は、底面板３４を水平に配置した状態において、第１側面板３５側が下がるように傾斜している。上面板３１の上方側の面は、上面３２を構成する。上面３２は、壁面１００側（第１側面板３５側）に下がる傾斜面である。
【００２７】
上面３２には、ケーシング部材３の内部に配置された複数のＬＥＤ５２（Ｌｉｇｈｔ  Ｅｍｉｔｔｉｎｇ  Ｄｉｏｄｅ）５２（発光部材）からの光を透過するように開口する窓部３３が形成される。窓部３３は、ケーシング部材３の上面３２において、ケーシング部材３の長手方向Ｙに沿って形成され、ケーシング部材３の長手方向Ｙに直交する幅方向Ｘの中央よりも壁面１００側に寄った位置に配置されている。窓部３３は、上面板３１の上面３２の長手方向Ｙの全域に亘って形成される。ケーシング部材３の上面３２の開口における開口縁部３２１は、窓部３３の外郭を構成する。
【００２８】
ケーシング部材３の開口縁部３２１において、ケーシング部材３は、開口側面３２２を有する。開口側面３２２は、窓部３３の外郭を構成するケーシング部材３の開口縁部３２１において厚み部分の側面である。
【００２９】
開口側面３２２は、第１開口側面３２２ａと、第２開口側面３２２ｂと、からなる。
第１開口側面３２２ａは、窓部３３に対して壁面１００側の開口側面である。第１開口側面３２２ａは、壁面１００側に下がる傾斜面である。
第２開口側面３２２ｂは、窓部３３に対して壁面１００とは反対側の開口側面である。第２開口側面３２２ｂは、ほぼ垂直方向Ｚに延びる面である。
【００３０】
底面板３４には、図２に示すように、複数の押上用ネジ孔３４１と、複数の水抜孔３４２とが形成されている。複数の押上用ネジ孔３４１及び複数の水抜孔３４２は、底面板３４を垂直方向Ｚに貫通する。
【００３１】
複数の押上用ネジ孔３４１は、図２及び図３に示すように、長手方向Ｙに直交する幅方向Ｘの中央の位置において、ケーシング部材３の長手方向Ｙに沿って並んで形成されている。押上用ネジ孔３４１には、押上ネジ部材８３（後述）が底面板３４を貫通して螺合される。
【００３２】
複数の水抜孔３４２は、図２に示すように、ケーシング部材３の長手方向Ｙの両端部寄りのそれぞれにおいて、幅方向Ｘに２つずつ並んで形成されている。水抜孔３４２は、ケーシング部材３の内部の隙間Ｓ（図３参照）に浸入した水やケーシング部材３の内部の隙間Ｓ（図３参照）に生じた結露による水を、照明装置１の外部に排出させ又は乾燥させるための孔である。ケーシング部材３の内部の隙間Ｓ（図３参照）は、ケーシング部材３と支持部材６との間に形成される隙間や、ケーシング部材３と透光部材７との間に形成される隙間などである。
【００３３】
光源部５は、図３に示すように、ケーシング部材３の内部に配置される。光源部５は、図３及び図４に示すように、ＬＥＤ基板５１と、複数のＬＥＤ５２と、複数の抵抗５３等の各種電子部品と、を有する。
【００３４】
ＬＥＤ基板５１は、ケーシング部材３の長手方向Ｙに延びる。ＬＥＤ基板５１の上面には、複数のＬＥＤ５２と、複数の抵抗５３とが実装されている。
複数のＬＥＤ５２は、ＬＥＤ基板５１の上面において、ケーシング部材３の長手方向Ｙに沿って、所定間隔で並べられている。
【００３５】
ＬＥＤ５２は、図３に示すように、窓部３３における幅方向Ｘ（ケーシング部材３の長手方向Ｙに直交する方向）の中央よりも壁面１００とは反対側に寄った位置に配置されている。ＬＥＤ５２は、垂直方向Ｚの上方側から視た場合に、ＬＥＤ５２の少なくとも一部がケーシング部材３の不透光の部分に重なっている。さらに、図３では、ＬＥＤ５２における幅方向Ｘの半分以上がケーシング部材３の不透光の部分に重なっている。
【００３６】
ここで、ＬＥＤ５２の少なくとも一部とは、例えば、１つのＬＥＤ５２の少なくとも一部分でもよく、複数のＬＥＤ５２のうちの少なくとも１つ以上でもよい。
【００３７】
複数の抵抗５３は、ＬＥＤ基板５１の上面において、複数のＬＥＤ５２が並ぶ方向に沿って、所定間隔で並べられている。
【００３８】
支持部材６は、光源部５を下方から支持する。支持部材６は、ケーシング部材３の内部において、ケーシング部材３の底面板３４の上方に配置される。
【００３９】
支持部材６は、ケーシング部材３の長手方向Ｙに延びる。支持部材６は、板状の部材により略方形筒状に形成される。支持部材６は、図３に示すように、ケーシング部材３の長手方向Ｙに直交する断面において、外形が長方形形状の筒状の枠体の上部が窪んだ形状に形成される。
【００４０】
支持部材６は、上面段差板６１と、底板６２と、第１側板６３と、第２側板６４と、を有する。上面段差板６１、底板６２、第１側板６３及び第２側板６４は、ケーシング部材３の長手方向Ｙに延びる。
【００４１】
上面段差板６１は、支持部材６の上方に配置され、ケーシング部材３の幅方向Ｘに延びる。底板６２は、支持部材６の下方に配置され、ケーシング部材３の幅方向Ｘに延びる。第１側板６３は、支持部材６における壁面１００側に配置され、垂直方向Ｚに延びる。第２側板６４は、支持部材６における壁面１００と反対側に配置され、垂直方向Ｚに延びる。
支持部材６は、上面段差板６１、第１側板６３、底板６２及び第２側板６４が長手方向Ｙに直交する周方向に連続して接続されることで、筒状の枠体に形成される。
【００４２】
上面段差板６１は、第１上段部６１１と、第２上段部６１２と、第１上段部６１１と第２上段部６１２との間に形成される窪み下段部６１３と、第１上段部６１１と窪み下段部６１３を接続する傾斜接続部６１４と、第２上段部６１２と窪み下段部６１３とを接続する垂直接続部６１５と、を有する。
【００４３】
第１上段部６１１、第２上段部６１２、窪み下段部６１３は、ケーシング部材３の長手方向Ｙ及び幅方向Ｘに平行な平面に沿って延びる。
第１上段部６１１及び第２上段部６１２は、幅方向Ｘにおいて、窪み下段部６１３を挟んで、同一平面上に配置される。窪み下段部６１３は、第１上段部６１１及び第２上段部６１２よりも下方に、第１上段部６１１及び第２上段部６１２と平行に配置される。
【００４４】
第１上段部６１１は、窪み下段部６１３に対して壁面１００側に配置される。第２上段部６１２は、窪み下段部６１３に対して壁面１００とは反対側に配置される。
【００４５】
窪み下段部６１３は、上面に、ＬＥＤ基板取付面６１３ａを有する。ＬＥＤ基板取付面６１３ａには、光源部５のＬＥＤ基板５１が取り付けられる。ＬＥＤ基板取付面６１３ａは、第１上段部６１１の上面及び第２上段部６１２の上面よりも下方の位置において、第１上段部６１１及び第２上段部６１２と平行に配置される。ＬＥＤ基板取付面６１３ａは、ＬＥＤ基板取付面６１３ａに光源部５が配置された場合に、ＬＥＤ５２や抵抗５３が、透光部材７の下面に接触しないように、第１上段部６１１の上面及び第２上段部６１２の上面よりも低い位置に位置するように形成される。
【００４６】
窪み下段部６１３は、ケーシング部材３の長手方向Ｙに直交する幅方向Ｘにおいて、幅方向Ｘの中央よりも、壁面１００とは反対側に寄って形成される。窪み下段部６１３は、ケーシング部材３の長手方向Ｙに延びる。窪み下段部６１３の上面のＬＥＤ基板取付面６１３ａには、複数のＬＥＤ５２が実装されたＬＥＤ基板５１が取り付けられる。
【００４７】
透光部材７は、ケーシング部材３の長手方向Ｙに延びる。透光部材７は、ケーシング部材３の窓部３３と光源部５（複数のＬＥＤ５２）との間に配置される。具体的には、透光部材７は、長手方向Ｙに直交する断面において、ケーシング部材３の窓部３３から光源部５（複数のＬＥＤ５２）までに亘って配置される。透光部材７は、複数のＬＥＤ５２からの光を透過させる。透光部材７は、例えば、アクリル樹脂で形成される。
【００４８】
透光部材７は、窓部対応部分７１と、内部対応部分７２と、を有する。
窓部対応部分７１は、窓部３３に配置される。内部対応部分７２は、ケーシング部材３の内部側に、窓部対応部分７１に連続して形成される。
【００４９】
内部対応部分７２は、幅方向Ｘにおいて、窓部対応部分７１の長さよりも長く形成される。内部対応部分７２の上面７２１は、ケーシング部材３の上面板３１の下面に沿う形状に形成される。内部対応部分７２の上面７２１は、照明ユニット２が組み立てられた状態において、ケーシング部材３の上面板３１の下面に当接する。
【００５０】
窓部対応部分７１は、内部対応部分７２における幅方向Ｘの中央よりも壁面１００側に寄った位置において、内部対応部分７２から上方に突出するように形成されている。窓部対応部分７１は、上面７１１がケーシング部材３の上面３２の傾斜に沿うように形成される。つまり、窓部対応部分７１の上面７１１は、ケーシング部材３の上面３２に沿って、壁面１００側が下方になるように傾斜している。
【００５１】
シール部材８１及び一対のスペーサ部材８２，８２は、光源部５が配置される空間Ｋに水が入り込まないように、支持部材６のＬＥＤ基板取付面６１３ａにＬＥＤ基板５１が取り付けられた状態において、支持部材６と透光部材７との間に配置される。
シール部材８１は、例えば、ゴム製のスポンジにより形成される。一対のスペーサ部材８２，８２は、例えば、硬質のポリ塩化ビニルにより形成される。
【００５２】
シール部材８１は、図３及び図４に示すように、ケーシング部材３の長手方向Ｙに延びる。支持部材６の上面の外周縁部の全周に亘って配置されるように、方形環状に形成される。シール部材８１は、照明ユニット２が組み立てられた状態において、支持部材６の上面と透光部材７との間で押し潰されることで、支持部材６と透光部材７との間の空間Ｋの外縁をシールする。
【００５３】
一対のスペーサ部材８２，８２は、図４に示すように、支持部材６の窪み下段部６１３のＬＥＤ基板取付面６１３ａにおいて、ＬＥＤ基板５１の長手方向Ｙの両端部よりも外側に配置される。一対のスペーサ部材８２，８２は、照明ユニット２が組み立てられた状態において、支持部材６の窪み下段部６１３、傾斜接続部６１４、垂直接続部６１５の間に嵌り込むことにより、一対のスペーサ部材８２，８２の上面と第１上段部６１１および第２上段部６１２の上面とが同一平面となる。これにより、支持部材６と透光部材７との間の空間Ｋにおける長手方向Ｙの両端部においては、一対のスペーサ部材８２，８２の上面と透光部材７との間でシール部材８１が押し潰されることで、支持部材６と透光部材７との間の空間Ｋの外縁をシールする。
【００５４】
複数の押上ネジ部材８３は、押上用ネジ孔３４１に螺合されて、ケーシング部材３の内部に導入される。本実施形態においては、複数の押上ネジ部材８３は、それぞれ、例えば、頭部の存在しないネジ部材により構成される。押上ネジ部材８３は、例えば、ホーローセットや、イモネジなどとも呼ばれる。
【００５５】
複数の押上ネジ部材８３は、押上用ネジ孔３４１に螺合されてケーシング部材３の内部に導入されることで、照明ユニット２が組み立てられた状態において、支持部材６の下面を、ケーシング部材３の外側から透光部材７側に押し上げる。これにより、支持部材６と透光部材７との間で、シール部材８１が押圧される。よって、複数のＬＥＤ５２が配置された空間Ｋの外縁がシールされて、支持部材６と透光部材７との間の空間Ｋであって複数のＬＥＤ５２が配置された空間Ｋを密封することができる。また、シール部材８１が押圧されることにより、光源部５（ＬＥＤ５２）が配置される空間Ｋにおける空気層を小さくできる。
【００５６】
このようにして、支持部材６と透光部材７とでシール部材８１を押圧することにより、光源部５が配置される空間Ｋへの水の浸入を抑制することができる。シール部材８１は、光源部５が配置される空間Ｋへの水の浸入を抑制する止水部材としての機能を有する。
【００５７】
次に、本発明に係る照明装置１の組み立て方法について説明する。
まず、図４に示すように、支持部材６における窪み下段部６１３のＬＥＤ基板取付面６１３ａに、複数のＬＥＤ５２が実装されたＬＥＤ基板５１（光源部５）を取り付ける。
続けて、支持部材６の窪み下段部６１３のＬＥＤ基板取付面６１３ａにおいて、ＬＥＤ基板５１の長手方向Ｙの両端部の外側に、一対のスペーサ部材８２，８２を配置し、シリコン系接着剤で固定する。また、支持部材６の上面に、支持部材６の上面の外周縁部に沿うように、シール部材８１を配置する。
【００５８】
そして、透光部材７と支持部材６とでシール部材８１及び一対のスペーサ部材８２，８２を挟んだ状態で、透光部材７を、シール部材８１及び一対のスペーサ部材８２，８２の上面に配置する。
【００５９】
次に、図４に示すように、透光部材７、シール部材８１、一対のスペーサ部材８２，８２、光源部５及び支持部材６を一体にした状態で、ケーシング部材３の一方の端部の側部開口３ａから、透光部材７、シール部材８１、一対のスペーサ部材８２，８２、光源部５及び支持部材６を、ケーシング部材３の内部に挿入する。
【００６０】
続けて、複数の押上ネジ部材８３を、押上用ネジ孔３４１に螺合させて、ケーシング部材３の下方から、ケーシング部材３の内部に導入する。これにより、照明ユニット２が組み立てられた状態において、複数の押上ネジ部材８３は、支持部材６を、透光部材７側に押し上げる。そのため、内部対応部分７２の上面７２１は、ケーシング部材３の上面板３１の下面に当接する。また、シール部材８１は、支持部材６と透光部材７とにより押圧される。これにより、複数のＬＥＤ５２が配置された空間Ｋの外縁がシールされて、複数のＬＥＤ５２が配置された空間Ｋを密封することができる。
このようにして、照明ユニット２を組み立てることができる。
【００６１】
次に、照明ユニット２を壁面１００の下方に設置するために、図４に示すように、一対のサイドカバー部材１１，１１を、ケーシング部材３の長手方向Ｙの両端部に取り付ける。同時に、電源コード１２をＬＥＤ基板５１に接続する。
そして、図１に示すように、照明ユニット２が取り付けられたサイドカバー部材１１を、取り付け角度を調整して、一対の脚部材１３，１３に取り付ける。このようにして、照明装置１を壁面１００の下方に設置する作業は完了する。
【００６２】
以上のように構成される照明装置１は、支持部材６と透光部材７とでシール部材８１を押圧することにより、光源部５（ＬＥＤ５２）が配置される空間Ｋへの水の浸入を抑制することができる。そのため、照明装置１の部品点数を最低限の数としつつ、防水性能を確保することができる。また、光源部５（ＬＥＤ５２）が配置される空間Ｋにおける空気層を小さくできるため、結露を生じにくくすることができる。
【００６３】
また、ケーシング部材３の外側から、支持部材６の下面を透光部材７側に押し上げることが可能な押上ネジ部材８３を備える。そのため、押上ネジ部材８３を押上用ネジ孔３４１に螺合させてケーシング部材３の内部に導入するだけで、簡単にシール部材８１を押圧することができる。これにより、光源部５が配置される空間Ｋへの水の浸入を抑制する作業を簡単に行うことができる。
【００６４】
以上説明した本実施形態の照明装置１によれば、以下のような効果を奏する。
本実施形態の照明装置１は、壁面１００を照射する照明装置１であって、長尺のケーシング部材３と、ケーシング部材３の内部に配置されるＬＥＤ５２と、ケーシング部材３の上面３２にケーシング部材３の長手方向Ｙに沿って形成され、ＬＥＤ５２からの光を透過する窓部３３と、を備え、ＬＥＤ５２は、窓部３３における幅方向Ｘの中央よりも壁面１００とは反対側に寄った位置に配置されており、垂直方向Ｚの上方側から視た場合に、ＬＥＤ５２の少なくとも一部がケーシング部材３の不透光の部分に重なっている。
【００６５】
そのため、ＬＥＤ５２からの光を、壁面１００側へ方向付けることができる。これにより、人の視線では照明装置１からの光を直視しにくいため、眩しさを抑制することができる。従って、ＬＥＤ５２からの光について、人に眩しさを感じさせることを抑制することができる。
【００６６】
また、前記実施形態においては、ケーシング部材３の上面３２は、壁面１００側に下がる傾斜面である。そのため、人からケーシング部材３の上面３２が見えにくくなる。また、ＬＥＤ５２からの光も、壁面１００側へ向かいやすくなる。従って、人に眩しさを感じさせることを一層抑制することができる。
また、ケーシング部材３の上面３２において、壁面１００とは反対側の上面３２の高さが高く形成される。そのため、照明装置１をコンパクトに形成しつつ、照射範囲を広く確保することができる。
【００６７】
また、前記実施形態においては、ケーシング部材３は、窓部３３の外郭を構成するケーシング部材３の開口縁部３２１において厚み部分の側面である開口側面３２２を有し、ケーシング部材３における壁面１００側の第１開口側面３２２ａは、壁面１００側に下がる傾斜面である。そのため、ＬＥＤ５２からの光が第１開口側面３２２ａに反射してケーシング部材３の内部に戻る。そのため、人がいる方向への光の反射を抑制することができる。従って、眩しさを感じさせることを一層抑制することができる。
【００６８】
以上、本発明の照明装置の好ましい一実施形態について説明したが、本発明は、上述した実施形態に制限されるものではなく、適宜変更が可能である。
例えば、前記実施形態では、発光部材として、複数のＬＥＤ５２について説明したが、これに限られない。発光部材としては、例えば、１つのＬＥＤであってもよい。また、発光部材として、点光源のＬＥＤを例にして説明したが、発光部材（発光素子）が連続して配置されるライン状光源であってもよい。
【００６９】
また、前記実施形態では、窓部３３を、上面板３１の上面３２の長手方向Ｙの全域に亘って形成したが、これに限られない。例えば、窓部３３を、上面板３１の上面３２の長手方向Ｙにおいて、一部であってもよく、例えば、間隔を設けて非連結で複数形成してもよい。
【００７０】
また、前記実施形態では、照明装置１を地面に設置するものについて説明したが、これに限られない。例えば、照明装置１を壁面に取り付けて設置してもよい。
【符号の説明】
【００７１】
１  照明装置
３  ケーシング部材
３２  ケーシング部材の上面
３３  窓部
５２  ＬＥＤ（発光部材）
１００  壁面
３２１  開口縁部
３２２  開口側面
３２２ａ  第１開口側面（壁面側の開口側面）
【図１】
0006339496.tif 000002
【図２】
0006339496.tif 000003
【図３】
0006339496.tif 000004
【図４】
0006339496.tif 000005